(57)【要約】  ユーザー装置が受信する広告に関するプッシュメッセージにリンクされたリンク情報に対応するアプリケーションにおける広告情報を収集し、ロック画面用の広告コンテンツを生成した後、ユーザー装置に提供し、ロック画面を介して広告コンテンツが表示される、メッセージに基づくアプリケーションに連動するロック画面の広告提供システム及び方法に関する。ユーザー装置で広告サービスサーバーから受信したアプリケーションに関するプッシュメッセージに対応して、広告サービスサーバーに応答情報を転送し、応答情報に対応して、広告サービスサーバーから提供されるアプリケーションに関する広告コンテンツにプッシュメッセージの広告内容及びリンク情報が追加され、ユーザー装置のロック画面上に出力され、メッセージ確認用の別のアプリケーションの実行なしで広告内容をロック画面上で確認でき、ユーザーの関心を集中させ、広告効率を大きく高めることができる。
2019517054.tif 000002
【特許請求の範囲】
【請求項１】
ユーザー装置とネットワークを介して連結される広告サービスサーバーとで構成されたメッセージに基づくアプリケーションに連動するロック画面の広告提供システムにおいて、
ユーザー装置に構成され、前記ユーザー装置に受信された前記プッシュメッセージをパースしたあと、前記プッシュメッセージに含まれるアプリケーションに関するリンク情報及びパッケージＩＤのうち、少なくとも一つを抽出して、応答情報を生成したあと、前記広告サービスサーバーに転送して、前記応答情報に対応して、前記広告サービスサーバーから受信したロック画面のコンテンツをロック画面に表示する広告モジュール；及び
前記ユーザー装置から受信した応答情報によって前記アプリケーションを提供する外部サーバーに接続して、前記応答情報に含まれたリンク情報、または、パッケージＩＤに対応するアプリケーション情報から前記ユーザー装置のロック状態によるロック画面に対応して、予め設定されたコンテンツフォーマットと連関された広告用情報を収集して、前記広告用情報を前記コンテンツフォーマットに採用して、前記ロック画面のコンテンツを生成して、前記ロック画面のコンテンツを前記ユーザー装置の広告モジュールに転送する広告サービスサーバーを含む
メッセージに基づくアプリケーションに連動するロック画面の広告提供システム。
【請求項２】
前記広告用情報は、前記アプリケーション情報に含まれた代表イメージである
ことを特徴とする請求項１に記載のメッセージに基づくアプリケーションに連動するロック画面の広告提供システム。
【請求項３】
前記広告モジュールは、前記プッシュメッセージに含まれた内容情報を前記ロック画面のコンテンツに追加して、前記ロック画面に表示する
ことを特徴とする請求項１に記載のメッセージに基づくアプリケーションに連動するロック画面の広告提供システム。
【請求項４】
前記広告モジュールは、予め設定された設定情報によって前記内容情報に含まれたテキストの大きさ及びフォントのうち、少なくとも一つを変更して、前記ロック画面のコンテンツに追加するか、前記プッシュメッセージの属性情報のうち、予め設定されたフィールドに接続アドレスが存在する場合、該接続アドレスによって接続したあと、前記接続アドレスに対応する広告対象情報を収集して、前記ロック画面のコンテンツに追加する
ことを特徴とする請求項３に記載のメッセージに基づくアプリケーションに連動するロック画面の広告提供システム。
【請求項５】
前記広告対象情報は、ＱＲコード（登録商標）、バーコード、または、クーポンを含むクーポン情報であるか、広告対象におけるイメージである
ことを特徴とする請求項４に記載のメッセージに基づくアプリケーションに連動するロック画面の広告提供システム。
【請求項６】
前記広告モジュールは、前記プッシュメッセージに含まれた前記内容情報及びユーザー装置の識別情報を前記広告サービスサーバーに転送して、
前記広告サービスサーバーは、前記ユーザー装置にプッシュメッセージを転送した広告主サーバーに前記内容情報及び識別情報に対応するユーザーに関する私的情報を要請するための要請情報を転送して、前記要請情報に対応して、前記広告主サーバーから受信した前記私的情報を前記ロック画面のコンテンツに追加する
ことを特徴とする請求項３に記載のメッセージに基づくアプリケーションに連動するロック画面の広告提供システム。
【請求項７】
前記私的情報は、ユーザーに支給される商品に関する情報、ユーザーのカート情報及びポイント情報のうち、少なくとも一つを含む
ことを特徴とする請求項６に記載のメッセージに基づくアプリケーションに連動するロック画面の広告提供システム。
【請求項８】
前記広告モジュールは、前記ロック画面のコンテンツに前記プッシュメッセージのリンク情報を追加して、前記ユーザー装置のロック画面に表示して、前記ユーザー装置を介するユーザー入力によって予め設定された方向にロックを解除する時、前記リンク情報によって前記アプリケーションを実行させる
ことを特徴とする請求項１に記載のメッセージに基づくアプリケーションに連動するロック画面の広告提供システム。
【請求項９】
前記広告モジュールは、前記リンク情報によって前記アプリケーションを実行してリワードが支給されるようにするか、前記アプリケーションのモードを変更する
ことを特徴とする請求項８に記載のメッセージに基づくアプリケーションに連動するロック画面の広告提供システム。
【請求項１０】
前記広告サービスサーバーは、複数の相異なるコンテンツフォーマットが予め設定されて、前記ユーザー装置から受信した応答情報に対応する前記コンテンツフォーマットに前記広告用情報を採用して、前記ロック画面のコンテンツを生成する
ことを特徴とする請求項１に記載のメッセージに基づくアプリケーションに連動するロック画面の広告提供システム。
【請求項１１】
前記広告モジュールは、前記ユーザー装置に設置された前記アプリケーションに挿入されるＳＤＫで構成される
ことを特徴とする請求項１に記載のメッセージに基づくアプリケーションに連動するロック画面の広告提供システム。
【請求項１２】
ユーザー装置に構成された広告モジュールがアプリケーションに関するプッシュメッセージを受信し、前記プッシュメッセージからアプリケーションに関するリンク情報及びパッケージＩＤのうち、少なくとも一つを抽出して、応答情報を生成して、ネットワークを介して広告サービスサーバーに前記応答情報を転送する応答段階と；
前記広告サービスサーバーが前記応答情報によって前記アプリケーションを提供する外部サーバーに接続して、前記応答情報に対応するアプリケーション情報から前記ユーザー装置のロック状態によるロック画面に対応して、予め設定されたコンテンツフォーマットと連関された広告用情報を収集して、前記広告用情報を前記コンテンツフォーマットに採用して、ロック画面のコンテンツを生成するコンテンツ生成段階と；
前記広告サービスサーバーが前記ロック画面のコンテンツを前記ユーザー装置の広告モジュールに転送する転送段階；及び
前記広告モジュールが前記ロック画面のコンテンツに前記プッシュメッセージのリンク情報を追加して、前記ユーザー装置のロック画面に表示する表示段階とを含む
メッセージに基づくアプリケーションに連動するロック画面の広告提供方法。
【請求項１３】
前記広告用情報は、前記アプリケーション情報に含まれた代表イメージである
ことを特徴とする請求項１２に記載のメッセージに基づくアプリケーションに連動するロック画面の広告提供方法。
【請求項１４】
前記表示段階は、前記広告モジュールが前記プッシュメッセージに含まれた内容情報を前記ロック画面のコンテンツに追加して、前記ロック画面で表示する
ことを特徴とする請求項１２に記載のメッセージに基づくアプリケーションに連動するロック画面の広告提供方法。
【請求項１５】
前記表示段階は、前記広告モジュールが予め設定された設定情報によって前記内容情報に含まれたテキストの大きさ及びフォントを変更して、前記ロック画面のコンテンツに追加するか、前記プッシュメッセージの属性情報のうち、予め設定されたフィールドに接続アドレスが存在する場合、該接続アドレスによって接続したあと、前記接続アドレスに対応する広告対象情報を収集して、前記ロック画面のコンテンツに追加する
ことを特徴とする請求項１４に記載のメッセージに基づくアプリケーションに連動するロック画面の広告提供方法。
【請求項１６】
前記広告対象情報は、ＱＲコード（登録商標）、バーコード、または、クーポンを含むクーポン情報であるか、広告対象におけるイメージである
ことを特徴とする請求項１５に記載のメッセージに基づくアプリケーションに連動するロック画面の広告提供方法。
【請求項１７】
前記表示段階のあと、前記広告モジュールが前記ユーザー装置を介するユーザー入力によって予め設定された方向にロックを解除する時、前記リンク情報によって前記アプリケーションを実行させる実行段階をさらに含む
ことを特徴とする請求項１２に記載のメッセージに基づくアプリケーションに連動するロック画面の広告提供方法。
【請求項１８】
前記実行段階は、前記広告モジュールが前記リンク情報によって前記アプリケーションを実行してリワードが支給されるようにするか、前記アプリケーションのモードを変更する
ことを特徴とする請求項１７に記載のメッセージに基づくアプリケーションに連動するロック画面の広告提供方法。
【請求項１９】
前記コンテンツ生成段階は、複数の相異なるコンテンツフォーマットが予め設定された前記広告サービスサーバーが前記ユーザー装置から受信した応答情報に対応する前記コンテンツフォーマットに前記広告用情報を採用して、前記ロック画面のコンテンツを生成する
ことを特徴とする請求項１２に記載のメッセージに基づくアプリケーションに連動するロック画面の広告提供方法。
【請求項２０】
前記広告モジュールは、前記ユーザー装置に設置された前記アプリケーションに挿入されるＳＤＫで構成される
ことを特徴とする請求項１２に記載のメッセージに基づくアプリケーションに連動するロック画面の広告提供方法。
【発明の詳細な説明】
【技術分野】
【０００１】
本発明は、メッセージに基づくアプリケーションに連動するロック画面の広告提供システム及び方法に関する。さらに詳しくは、ユーザー装置に受信される広告に関するプッシュメッセージにリンクされたリンク情報に対応するアプリケーションにおける広告情報を収集し、ロック画面のための広告コンテンツを生成したあと、これをユーザー装置に提供して、ロック画面を介して該広告コンテンツが表示されるようにするメッセージに基づくアプリケーションに連動するロック画面の広告提供システム及び方法に関する。
【背景技術】
【０００２】
移動通信の技術の発展とともに、スマートフォン（Ｓｍａｒｔ  ｐｈｏｎｅ）の普及がどんどん増えて、該スマートフォンを活用した様々な広告方式が登場している。
【０００３】
一例として、広告を提供するための広告サービスサーバーは、ＳＭＳメッセージに広告対象におけるＵＲＬアドレスをリンクし、ユーザーのスマートフォンに転送することによって、ユーザーが該ＳＭＳメッセージにリンクされたＵＲＬアドレスに基づいて、広告対象のウェブページに接続することができるように提供する。
【０００４】
また、前記広告サービスサーバーは、広告主の要請による広告対象におけるＵＲＬアドレスがリンクされるか、アプリケーションにおける固有識別情報が含まれたプッシュメッセージを生成して、ユーザーのスマートフォンに転送し、これによって該プッシュメッセージにリンクされたＵＲＬアドレスを介して広告対象におけるランディングページに接続するようにするか、前記プッシュメッセージを選択して、前記アプリケーションの固有識別情報に対応するアプリケーションがユーザーのスマートフォンで有効化されて、該アプリケーションを介して広告対象における情報が提供されるようにすることができる。
【０００５】
前述のように、既存の広告方式は、たいていユーザーにＳＭＳやプッシュ型のメッセージを転送して、広告を提供する方式であり、このような既存の広告方式は、次のような問題を有する。
【０００６】
まず、既存の広告方式は、ユーザーが該メッセージを選択して、メッセージ全体の内容を確認しなければならなくて面倒であるため、たいていのユーザーが、受信したメッセージを選択して、確認しないで削除する場合が多くて、広告効果が著しく落ちる問題がある。
【０００７】
また、ユーザーのスマートフォンにメッセージが受信される場合、メッセージの内容の一部のみがユーザーの画面に表示されるため、ユーザーがただちに全体の内容を認識しにくいのみならず、ユーザーの関心を集中させることがむずかしいので、ユーザーの関心の対象におけるメッセージであるにもかかわらず、メッセージ閲覧まで誘導しにくいという問題がある。
【０００８】
他にも、広告主は、広告対象に関するユーザーの関心を誘導するために、広告コンテンツをメッセージに挿入しようとする場合、相異なる広告対象の各々における別途の広告コンテンツを直接製作した後、これをメッセージに挿入して転送するように依頼しなければならない不便さが存在する。
【０００９】
従って、既存の問題を改善して、ユーザーが広告内容を別途の入力なしで、便利に確認することができるように提供するとともに、広告対象に関するアプリケーションを実行するように誘導して広告効率を高めることができて、広告主のコンテンツの製作における負担を軽減させることができる新しい広告方式の開発が要求されている。
【先行技術文献】
【特許文献】
【００１０】
【特許文献１】韓国登録特許第１０−１１２２２１４号公報
【発明の概要】
【発明が解決しようとする課題】
【００１１】
本発明は、プッシュメッセージに対応して、ユーザー装置から受信した応答情報に基づいて、前記応答情報に対応するアプリケーションにおける広告コンテンツを生成したあと、ユーザー装置に提供して、ユーザー装置のロック画面で前記広告コンテンツが表示されるようにすることによって、ユーザーがプッシュメッセージの内容を注目度が高くて大きさの大きいロック画面を介して確認することができるように提供して、広告主の別途の広告情報の生成がなくても、広告内容におけるユーザーの関心を集中させて、広告効果を高めるようにすることにその目的がある。
【００１２】
また、本発明は、ユーザー装置のロック画面に表示された広告コンテンツに含まれるリンク情報に基づいて、ロック画面を解除する時、自動的にプッシュメッセージに対応するアプリケーションで広告対象に関する命令が実行されるようにすることによって、広告閲覧におけるユーザー便宜性を向上させるとともに、広告効率を高めることにその目的がある。
【００１３】
さらに、本発明は、メッセージに基づいて、広告を要請する広告主の広告コンテンツの製作における負担を軽減させ、ロック画面を用いる二重広告ができるようにすることにその目的がある。
【課題を解決するための手段】
【００１４】
本発明の実施例によるユーザー装置とネットワークを介して連結される広告サービスサーバーとで構成されたメッセージに基づくアプリケーションに連動するロック画面の広告提供システムは、ユーザー装置に構成され、前記ユーザー装置に受信された前記プッシュメッセージをパースしたあと、前記プッシュメッセージに含まれるアプリケーションに関するリンク情報及びパッケージＩＤのうち、少なくとも一つを抽出して、応答情報を生成したあと、前記広告サービスサーバーに転送して、前記応答情報に対応して、前記広告サービスサーバーから受信したロック画面のコンテンツをロック画面に表示する広告モジュール及び前記ユーザー装置から受信した応答情報によって前記アプリケーションを提供する外部サーバーに接続して、前記応答情報に含まれたリンク情報、または、パッケージＩＤに対応するアプリケーション情報から前記ユーザー装置のロック状態によるロック画面に対応して、予め設定されたコンテンツフォーマットと連関された広告用情報を収集して、前記広告用情報を前記コンテンツフォーマットに採用して、前記ロック画面のコンテンツを生成して、前記ロック画面のコンテンツを前記ユーザー装置の広告モジュールに転送する広告サービスサーバーを含むことができる。
【００１５】
本発明に関する一例として、前記広告用情報は、前記アプリケーション情報に含まれた代表イメージであることを特徴とすることができる。
【００１６】
本発明に関する一例として、前記広告モジュールは、前記プッシュメッセージに含まれた内容情報を前記ロック画面のコンテンツに追加して、前記ロック画面に表示することを特徴とすることができる。
【００１７】
本発明に関する一例として、前記広告モジュールは、予め設定された設定情報によって前記内容情報に含まれたテキストの大きさ及びフォントのうち、少なくとも一つを変更して、前記ロック画面のコンテンツに追加するか、前記プッシュメッセージの属性情報のうち、予め設定されたフィールドに接続アドレスが存在する場合、該接続アドレスによって接続したあと、前記接続アドレスに対応する広告対象情報を収集して、前記ロック画面のコンテンツに追加することを特徴とすることができる。
【００１８】
本発明に関する一例として、前記広告対象情報は、ＱＲコード（登録商標）、バーコード、または、クーポンを含むクーポン情報であるか、広告対象におけるイメージであることを特徴とすることができる。
【００１９】
本発明に関する一例として、前記広告モジュールは、前記プッシュメッセージに含まれた前記内容情報及びユーザー装置の識別情報を前記広告サービスサーバーに転送して、前記広告サービスサーバーは、前記ユーザー装置にプッシュメッセージを転送した広告主サーバーに前記内容情報及び識別情報に対応するユーザーに関する私的情報を要請するための要請情報を転送して、前記要請情報に対応して、前記広告主サーバーから受信した前記私的情報を前記ロック画面のコンテンツに追加することを特徴とすることができる。
【００２０】
本発明に関する一例として、前記私的情報は、ユーザーに支給される商品に関する情報、ユーザーのカート情報及びポイント情報のうち、少なくとも一つを含むことを特徴とすることができる。
【００２１】
本発明に関する一例として、前記広告モジュールは、前記ロック画面のコンテンツに前記プッシュメッセージのリンク情報を追加して、前記ユーザー装置のロック画面に表示して、前記ユーザー装置を介するユーザー入力によって予め設定された方向にロックを解除する時、前記リンク情報によって前記アプリケーションを実行させることを特徴とすることができる。
【００２２】
本発明に関する一例として、前記広告モジュールは、前記リンク情報によって前記アプリケーションを実行してリワードが支給されるようにするか、前記アプリケーションのモードを変更することを特徴とすることができる。
【００２３】
本発明に関する一例として、前記広告サービスサーバーは、複数の相異なるコンテンツフォーマットが予め設定されて、前記ユーザー装置から受信した応答情報に対応する前記コンテンツフォーマットに前記広告用情報を採用して、前記ロック画面のコンテンツを生成することを特徴とすることができる。
【００２４】
本発明に関する一例として、前記広告モジュールは、前記ユーザー装置に設置された前記アプリケーションに挿入されるＳＤＫで構成されることを特徴とすることができる。
【００２５】
本発明の実施例によるメッセージに基づくアプリケーションに連動するロック画面の提供方法は、ユーザー装置に構成された広告モジュールがアプリケーションに関するプッシュメッセージを受信し、前記プッシュメッセージからアプリケーションに関するリンク情報及びパッケージＩＤのうち、少なくとも一つを抽出して、応答情報を生成して、ネットワークを介して広告サービスサーバーに前記応答情報を転送する応答段階と、前記広告サービスサーバーが前記応答情報によって前記アプリケーションを提供する外部サーバーに接続して、前記応答情報に対応するアプリケーション情報から前記ユーザー装置のロック状態によるロック画面に対応して、予め設定されたコンテンツフォーマットと連関された広告用情報を収集して、前記広告用情報を前記コンテンツフォーマットに採用して、ロック画面のコンテンツを生成するコンテンツ生成段階と、前記広告サービスサーバーが前記ロック画面のコンテンツを前記ユーザー装置の広告モジュールに転送する転送段階及び前記広告モジュールが前記ロック画面のコンテンツに前記プッシュメッセージのリンク情報を追加して、前記ユーザー装置のロック画面に表示する表示段階とを含むことができる。
【００２６】
本発明に関する一例として、前記広告用情報は、前記アプリケーション情報に含まれた代表イメージであることを特徴とすることができる。
【００２７】
本発明に関する一例として、前記表示段階は、前記広告モジュールが前記プッシュメッセージに含まれた内容情報を前記ロック画面のコンテンツに追加して、前記ロック画面で表示することを特徴とすることができる。
【００２８】
本発明に関する一例として、前記表示段階は、前記広告モジュールが予め設定された設定情報によって前記内容情報に含まれたテキストの大きさ及びフォントを変更して、前記ロック画面のコンテンツに追加するか、前記プッシュメッセージの属性情報のうち、予め設定されたフィールドに接続アドレスが存在する場合、該接続アドレスによって接続したあと、前記接続アドレスに対応する広告対象情報を収集して、前記ロック画面のコンテンツに追加することを特徴とすることができる。
【００２９】
本発明に関する一例として、前記広告対象情報は、ＱＲコード（登録商標）、バーコード、または、クーポンを含むクーポン情報であるか、広告対象におけるイメージであることを特徴とすることができる。
【００３０】
本発明に関する一例として、前記表示段階のあと、前記広告モジュールが前記ユーザー装置を介するユーザー入力によって予め設定された方向にロックを解除する時、前記リンク情報によって前記アプリケーションを実行させる実行段階をさらに含むことを特徴とすることができる。
【００３１】
本発明に関する一例として、前記実行段階は、前記広告モジュールが前記リンク情報によって前記アプリケーションを実行してリワードが支給されるようにするか、前記アプリケーションのモードを変更することを特徴とすることができる。
【００３２】
本発明に関する一例として、前記コンテンツ生成段階は、複数の相異なるコンテンツフォーマットが予め設定された前記広告サービスサーバーが前記ユーザー装置から受信した応答情報に対応する前記コンテンツフォーマットに前記広告用情報を採用して、前記ロック画面のコンテンツを生成することを特徴とすることができる。
【００３３】
本発明に関する一例として、前記広告モジュールは、前記ユーザー装置に設置された前記アプリケーションに挿入されるＳＤＫで構成されることを特徴とすることができる。
【発明の効果】
【００３４】
本発明は、ユーザー装置で広告サービスサーバーから受信したアプリケーションに関するプッシュメッセージに対応して、広告サービスサーバーに応答情報を転送するようにして、前記応答情報に対応して、前記広告サービスサーバーから提供されるアプリケーションに関する広告コンテンツに前記プッシュメッセージの広告内容及びリンク情報が追加され、ユーザー装置のロック画面上に出力されるようにすることによって、メッセージ確認のための別途のアプリケーションの実行なしで広告内容及び広告対象を注目度が高くてユーザー装置を有効化するごとに表示されるロック画面上で確認することができるように提供して、ユーザーの関心を集中させるとともに、ロック画面を介してユーザーにおける広告の露出の頻度を高めることができて、広告効率を大きく改善する効果がある。
【００３５】
また、本発明は、ロック画面の解除における簡単な入力のみでロック画面に表示される広告コンテンツにリンクされた特定のアプリケーションを実行させて、広告対象に関する実行命令が自動実行されるように提供することによって、広告対象を確認するようにユーザーを誘導して広告対象を提供するアプリケーションにおける利用率及び広告効率を高める効果がある。
【００３６】
さらに、本発明は、アプリケーションを広告するための広告主にユーザー装置に転送するための別途の広告コンテンツの製作を要求する必要なく、広告主から提供されるメッセージと広告主に対応してサーバーに保存されたアプリケーション情報に基づいて、独自の広告主のアプリケーションに関する広告コンテンツを自動生成して、ユーザー装置のロック画面に表示されるようにすることができて、広告製作における広告主の負担を軽減させるとともに、広告便宜性を大きく高める効果がある。
【図面の簡単な説明】
【００３７】
【図１】本発明の実施例によるメッセージに基づくアプリケーションに連動するロック画面の広告提供システムの構成環境図である。
【図２】本発明の実施例によるメッセージに基づくアプリケーションに連動するロック画面の広告提供システムの広告コンテンツ生成のための動作例示図である。
【図３】本発明の実施例によるメッセージに基づくアプリケーションに連動するロック画面の広告提供システムの広告コンテンツ生成のための動作例示図である。
【図４】本発明の実施例による広告モジュールのロック画面を用いる広告表示における動作例示図である。
【図５】本発明の実施例による広告モジュールのロック画面解除によるアプリケーションの実行過程を図示した動作例示図である。
【図６】本発明の実施例による広告モジュールの詳細構成図である。
【図７】本発明の実施例による広告サービスサーバーの詳細構成図である。
【図８】本発明の実施例によるメッセージに基づくアプリケーションに連動するロック画面の広告提供方法における順序図である。
【発明を実施するための形態】
【００３８】
以下、図面を参照して本発明の詳細実施例を説明する。
図１は、本発明の実施例によるメッセージに基づくアプリケーションに連動するロック画面の広告提供システムにおける構成環境図であって、図示のように、ユーザー装置１０に構成され、ユーザー装置１０に設置されたアプリケーション（ａｐｐｌｉｃａｔｉｏｎ）に関する広告コンテンツ（ｃｏｎｔｅｎｔｓ）をユーザー装置１０のロック画面に表示する広告モジュール１００と、ネットワークを介して前記ユーザー装置１０の広告モジュール１００にユーザー装置１０のロック画面に表示されるアプリケーションに関する広告コンテンツを生成して、提供する広告サービスサーバー２００とを含むことができる。
【００３９】
また、広告主サーバー２０は、前記ネットワークを介して特定のアプリケーションに関する広告対象におけるプッシュ（Ｐｕｓｈ）メッセージを前記ユーザー装置１０の広告モジュール１００に提供することができる。
【００４０】
これによって、前記ユーザー装置１０の広告モジュール１００は、前記プッシュメッセージから前記特定のアプリケーションに関するパッケージＩＤ（ｐａｃｋａｇｅ  ＩＤ、または、アプリケーションＩＤ）及び前記広告対象に関する実行命令におけるリンク（ｌｉｎｋ）情報のうち、少なくとも一つを抽出したあと、これを含む応答情報を生成して、前記広告サービスサーバー２００に転送することができる。
【００４１】
これを通じて、前記広告サービスサーバー２００は、前記特定のアプリケーションを配布するアプリケーションストア（Ａｐｐ  ｓｔｏｒｅ）サーバーのような外部サーバー３００に接続して、前記応答情報に対応するアプリケーション情報に基づいて、ユーザー装置１０のロック画面に対応して、予め設定されたコンテンツフォーマット（ｆｏｒｍａｔ）によってユーザー装置１０のロック画面に表示される広告コンテンツを生成して、ネットワークを介して前記ユーザー装置１０の広告モジュール１００に転送することができる。
【００４２】
この時、前記外部サーバー３００は、前記広告主サーバー２０で構成されることもある。
【００４３】
また、前記広告モジュール１００は、前記広告コンテンツに前記プッシュメッセージの内容及びリンク情報を追加して、ユーザー装置１０のロック画面に表示することによって、ユーザー装置１０が有効化されるごとに、前記ロック画面を介して広告コンテンツが提供されるようにして、広告効率を大きく向上させることができる。
【００４４】
この時、本発明で説明する広告コンテンツは、ユーザー装置のロック画面に表示されるロック画面のコンテンツと呼ぶことができる。
【００４５】
即ち、本発明は、広告のための単純メッセージを転送する時、ユーザーがメッセージの内容を別途のアプリケーションを有効化したあと、確認しなければならなくて面倒であるため、メッセージを確認しないで削除するか、無視して、広告効率が落ちる既存の方式と違って、ユーザー装置１０でプッシュメッセージを受信する時、これに対応するアプリケーションに関する広告コンテンツを広告サービスサーバー２００から受信したあと、プッシュメッセージの内容及びリンク情報を追加した広告コンテンツをユーザー装置１０のロック画面上に出力して、別途のアプリケーションの実行なしで 特定のアプリケーションに関する広告内容及び広告対象をロック画面上で確認することができるように提供することによって、メッセージ閲覧の前に広告内容を確認することのできない既存の方式に比べて、ロック画面を介して広告内容を容易に確認することができるように提供して、広告効率及び広告露出の頻度を著しく高めることができる。
【００４６】
前述の構成から、前記ネットワークは、広く知られた様々な有無線通信方式が採用されることができて、前記広告モジュール１００は、前記ユーザー装置１０の制御部によって実行されるオペレーティングシステム（Ｏｐｅｒａｔｉｎｇ  Ｓｙｓｔｅｍ）に基づいて駆動されて、前記ユーザー装置１０に設置されるアプリケーション（ａｐｐｌｉｃａｔｉｏｎ）を意味することもある。
【００４７】
また、前記広告モジュール１００は、前記ユーザー端末に設置されるアプリケーションに挿入されて、前記アプリケーションを設置する時、並行設置されて、前記アプリケーションの内部に含まれる型（アプリ内（ｉｎ−ａｐｐ）：ｉｎ  ａｐｐｌｉｃａｔｉｏｎ）であるＳＤＫ（Ｓｏｆｔｗａｒｅ  Ｄｅｖｅｌｏｐｍｅｎｔ  Ｋｉｔ）で構成されることができる。
【００４８】
また、前記ユーザー装置１０は、様々な通信方式を提供するスマートフォン（Ｓｍａｒｔ  ｐｈｏｎｅ）、移動通信端末機などを含むことができる。
【００４９】
また、前述の構成から、前記広告サービスサーバー２００で前記アプリケーション情報を保存して、前記広告サービスサーバー２００が前記応答情報を受信する時、前記応答情報に対応して、予め保存されたアプリケーション情報に基づいて、広告コンテンツを生成して、前記ユーザー装置１０の広告モジュール１００に提供することができるのは無論のこと、前記外部サーバー３００は、前記プッシュメッセージを転送する広告主サーバー、様々なアプリケーションを配布するアプリケーションストアサーバー、ゲームアプリケーションを提供するゲームサービスサーバー、または、ショッピングモール（ｓｈｏｐｐｉｎｇ  ｍａｌｌ）に関するアプリケーションを提供するショッピングモールサーバーなどのような様々なサーバーで構成されることは無論のことである。
【００５０】
さらに、前記広告サービスサーバー２００は、前記ユーザー装置に対応する識別情報（または、会員情報）を保存する会員ＤＢ２０１と、前記広告コンテンツを保存するコンテンツＤＢ２０２とを含むことができる。
【００５１】
以下、前述の構成に基づいて本発明の詳細構成を以下の図面を介して説明する。
図２及び図３は、本発明の実施例によるメッセージに基づくアプリケーションに連動するロック画面の広告提供システムの広告コンテンツ生成のための動作例示図である。
【００５２】
まず、図２に図示のように、前記広告主サーバー２０は、予め保存されたユーザー装置１０の識別情報（または、会員情報)に基づいて、広告メッセージの転送対象であるユーザー装置１０を識別して、プッシュサーバー４００を介して特定のアプリケーションに対応する広告対象における広告メッセージをプッシュメッセージで前記ユーザー装置１０に転送することができる。
【００５３】
この時、前記プッシュサーバー４００は、前記広告主サーバー２０に含まれることができて、前記広告主サーバー２０から前記ユーザー装置１０に前記プッシュメッセージを転送することができる。
【００５４】
また、前記識別情報は、前記ユーザー装置１０に対応する電話番号、ＩＰアドレス、または、ＭＡＣ（ｍｅｄｉａ  ａｃｃｅｓｓ  ｃｏｎｔｒｏｌ）情報やユーザーの会員ＩＤのうち、少なくとも一つを含むことができる。
【００５５】
また、前記ユーザー装置１０の広告モジュール１００は、前記ユーザー装置１０を介して前記プッシュメッセージを受信し、前記プッシュメッセージから前記特定のアプリケーションで実行されて、前記広告対象に関する実行命令におけるリンク情報及び前記プッシュメッセージの属性情報に含まれた前記特定のアプリケーションにおけるパッケージＩＤのうち、少なくとも一つを抽出したあと、前記リンク情報及びパッケージＩＤのうち、少なくとも一つを含む応答情報を生成して、前記広告サービスサーバー２００に転送することができる。
【００５６】
これによって、図３に図示のように、前記広告サービスサーバー２００は、前記ユーザー装置１０の広告モジュール１００から応答情報を受信し、前記応答情報に含まれた前記リンク情報、または、パッケージＩＤのうち、いずれか一つに基づいて、前記特定のアプリケーションを提供する外部サーバー３００に接続して、前記外部サーバー３００に保存されて、前記リンク情報、または、パッケージＩＤに対応するアプリケーション情報に接続することができる。
【００５７】
また、前記広告サービスサーバー２００は、前記アプリケーション情報から前記ユーザー装置１０のロック画面に対応して、予め設定されたコンテンツフォーマットと連関される広告用情報を収集することができる。
【００５８】
この時、前記広告用情報は、前記コンテンツフォーマットに予め設定された相異なる一つ以上の属性に各々対応する情報を意味することがあって、前記各属性は、データの種類、メタデータ（ｍｅｔａｄａｔａ）などを含むことができる。
【００５９】
また、前記コンテンツフォーマットは、相異なるメタデータ別に配置領域、大きさ及びフォント（ｆｏｎｔ）の種類などにおける設定値と前記データの種類による代表イメージ情報の配置領域、大きさ、解像度などにおける設定値などを含み、ユーザー装置１０のロック画面に対応するレイアウト（ｌａｙｏｕｔ）が設定されることができる。
【００６０】
これによって、前記広告サービスサーバー２００は、前記アプリケーション情報から収集した広告用情報を前記コンテンツフォーマットによるレイアウトに採用して、ユーザー装置１０のロック画面のための広告コンテンツを生成することができる。
【００６１】
一例として、前記広告サービスサーバー２００は、前記アプリケーション情報から前記予め設定されたコンテンツフォーマットと連関される代表イメージ情報を広告用情報として抽出して、前記外部サーバー３００からダウンロード（ｄｏｗｎｌｏａｄ）したあと、前記コンテンツフォーマットのレイアウトによって前記代表イメージ情報に対応する配置領域に大きさ及び解像度のうち、少なくとも一つを調節して、前記コンテンツフォーマットに採用して、広告コンテンツを生成することができる。
【００６２】
この時、前記代表イメージ情報は、イメージデータのみならず、映像データ、または、フラッシュ（ｆｌａｓｈ）データなどを含むことができる。
【００６３】
以後、前記広告サービスサーバー２００は、ネットワークを介して前記広告コンテンツを前記ユーザー装置１０に転送することができて、前記広告コンテンツをコンテンツＤＢ２０２に保存することもできる。
【００６４】
一方、図４は、前記広告サービスサーバー２００から広告コンテンツを受信した広告モジュール１００のロック画面を用いる広告表示における動作例示図であり、図示のように、前記広告モジュール１００は、前記応答情報に対応して、前記広告サービスサーバー２００から広告コンテンツを、前記ユーザー装置１０を介して受信することができる。
【００６５】
以後、前記広告モジュール１００は、前記応答情報に対応するプッシュメッセージの内容情報を抽出して、前記広告コンテンツの予め設定された領域に追加することができる。
【００６６】
この時、前記広告モジュール１００は、予め設定された設定情報によって前記内容情報に含まれたテキストの大きさ及びフォントのうち、少なくとも一つを変更して、前記広告コンテンツに追加して、内容情報を強調することができる。
【００６７】
また、前記広告モジュール１００は、前記プッシュメッセージの属性情報で予め設定された属性フィールドに広告対象に関する接続アドレスが存在する場合、前記属性フィールドから接続アドレスを抽出して、前記接続アドレスによって前記広告主サーバー２０に接続することができる。
【００６８】
これを通じて、前記広告モジュール１００は、前記広告主サーバー２０から前記接続アドレスに対応する広告対象情報を収集して、前記広告コンテンツの予め設定された領域に追加することができる。
【００６９】
この時、広告対象情報は、前記広告対象におけるイメージであることがあり、一例として、前記広告対象がゲームアプリケーションに採用されるアイテム（ｉｔｅｍ）である場合、前記広告対象におけるイメージはアイテムイメージであることがある。
【００７０】
また、前記広告対象情報は、商品の割引、または、決済のためのＱＲコード（登録商標）（Ｑｕｉｃｋ  Ｒｅｓｐｏｎｓｅ  ｃｏｄｅ）、バーコード（Ｂａｒ  ｃｏｄｅ）、クーポンイメージなどのようなクーポン情報であることもある。
【００７１】
さらに、前記広告モジュール１００は、前記広告コンテンツに前記プッシュメッセージのリンク情報を追加、または、挿入することができる。
【００７２】
以後、前記広告モジュール１００は、前記広告コンテンツをユーザー装置１０のロック画面に表示することができて、これを通じてユーザー装置１０を有効化するごとに表示されるロック画面に前記広告コンテンツが表示されるようにすることができる。
【００７３】
この時、本発明に関する「ロック画面」を詳しく説明すると、前記ユーザー装置１０は、ユーザーの意思とは関係ないタッチスクリーンや外部入力ボタンなどを介する入力が持続的に発生して、誤作動することを防止するためにロック状態が設定されている。従って、前記ユーザー装置１０は、前記ロック状態によってユーザー装置１０の最初駆動の時、前記ロック画面をディスプレイに表示するようになり、前記ロック状態の解除に対応する既設定の入力が受信されてからこそ、ロック（ロック状態）を解除して、求める機能を使えるようにする。
【００７４】
また、本発明による広告モジュール１００は、アップル（登録商標）のモバイルオペレーティングシステムであるｉＯＳと、グーグル（登録商標）のモバイルオペレーティングシステムであるアンドロイド（登録商標）などで実行されることが好ましいが、これに限られることはない。
【００７５】
前述の構成によって、前記広告モジュール１００は、広告に関するメッセージがユーザーによって閲覧される前に、たいてい削除されるか、無視されて、広告効果が著しく落ちる問題を改善して、プッシュメッセージに対応するロック画面のための広告コンテンツを広告サービスサーバー２００から受信して、ユーザー装置１０のロック画面に表示することによって、ユーザーがロック画面を介してユーザー装置１０を有効化するごとに特定のアプリケーションにおける広告内容及び広告対象を確認することができるように提供することができて、これを通じて広告効果を著しく高めることができる。
【００７６】
一方、前述の構成で前記ユーザー装置１０の広告モジュール１００は、前記プッシュメッセージに含まれた内容情報を抽出したあと、前記応答情報に追加して、前記ユーザー装置１０の識別情報といっしょに前記広告サービスサーバー２００に転送することができる。
【００７７】
これによって、前記広告サービスサーバー２００は、前記内容情報及びユーザー装置１０の識別情報に基づいて、ユーザーに関する私的情報を問い合わせ及び要請するための要請情報を生成して、前記応答情報に対応する広告主サーバー２０に転送することができる。
【００７８】
この時、前記私的情報は、ユーザーに支給しようとする商品（一例として、ゲームアイテム）に関する情報であるか、ユーザーの関心商品における情報が臨時保存されたカート情報、または、ユーザーのポイント情報などのようなユーザーに関する様々な情報を含むことができる。
【００７９】
また、前記広告サービスサーバー２００は、前記広告主サーバー２０から前記要請情報に対応する私的情報を受信して、前記広告コンテンツに追加したあと、該広告コンテンツを前記ユーザー装置１０の広告モジュールに転送して、ロック画面に表示されるようにすることができる。
【００８０】
これを通じて、前記広告サービスサーバー２００は、広告主サーバー２０から転送したプッシュメッセージの内容に基づいて、ユーザーに関する情報を収集することができて、収集したユーザーに関する情報を広告コンテンツに追加して、ロック画面上でユーザーに関する情報が提供されるようにすることができる。
【００８１】
一方、図５に図示のように、前記ユーザー装置１０の広告モジュール１００は、前記広告コンテンツが表示されたロック画面に前記プッシュメッセージのリンク情報による実行命令を実行させるか、ロック画面を解除するためのインターフェースを表示することができる。この時、前記インターフェースは、ＧＵＩ（Ｇｒａｐｈｉｃ  Ｕｓｅｒ  Ｉｎｔｅｒｆａｃｅ）で構成されることができる。
【００８２】
これによって、前記広告モジュール１００は、前記ユーザー装置１０を介するユーザー入力に基づいて、前記ロック画面に表示されたユーザーインターフェースを介して予め設定された方向に前記ロック画面によるロック状態を解除する場合、前記広告コンテンツに含まれた（挿入された）リンク情報によって前記広告コンテンツに対応する特定のアプリケーションを実行させて、前記特定のアプリケーションによって前記リンク情報に定義された実行命令が実行されるようにすることができる。
【００８３】
一例として、図示のように、前記広告モジュール１００は、前記ロック画面を解除して、前記広告コンテンツに含まれたリンク情報を実行するための第１入力方向と前記ロック画面を単純解除する第２入力方向におけるインターフェースを前記ロック画面に前記広告コンテンツといっしょに表示することができる。
【００８４】
これによって、前記広告モジュール１００は、ユーザー装置１０を介するユーザー入力に基づいて、前記インターフェースを介して前記第１入力方向に対応するスワイプ（ｓｗｉｐｅ）、スライド（ｓｌｉｄｅ）、または、ドラッグ（ｄｒａｇ）入力が受信された場合、前記ロック画面を解除したあと、前記ユーザー装置１０に設置された特定のアプリケーションを実行して、前記特定のアプリケーションで前記リンク情報に定義された実行命令が実行されるようにして前記ユーザー装置１０の画面に前記実行命令による実行結果が表示されるようにすることができる。
【００８５】
一例として、前記広告モジュール１００は、前記広告コンテンツが表示されたロック画面で第１入力方向におけるユーザー入力を受信した時、前記プッシュメッセージのリンク情報と同一に前記特定のアプリケーションを実行して、前記特定のアプリケーションによって前記リンク情報による実行命令に基づいて、広告対象であるゲームアイテムが支給されるようにすることができる。
【００８６】
また、前記広告モジュール１００は、前記特定のアプリケーションを実行して前記特定のアプリケーションをサービスするゲームサービスサーバーに前記ゲームアイテムがユーザーの会員情報に対応して、登録されるようにすることができる。
【００８７】
他にも、前記広告モジュール１００は、前記リンク情報によって前記特定のアプリケーションを実行してリワード（ｒｅｗａｒｄ）が支給されるようにするか、前記特定のアプリケーションのモードを変更するなどの前記リンク情報に定義された様々な実行命令が前記特定のアプリケーションで実行されるようにすることができる。
【００８８】
一方、前記広告モジュール１００は、前記広告コンテンツが表示されたロック画面で前記第２入力方向におけるユーザー入力を受信した時、ロック画面によるロック状態を解除して、前記ユーザー装置１０に設置されたオペレーティングシステムによる予め設定されたホーム（Ｈｏｍｅ）画面が前記ユーザー装置１０の画面に出力されるようにすることができる。
【００８９】
前述の構成を通じて、本発明による前記広告モジュール１００は、前記ロック画面の解除における簡単な入力のみでロック画面に表示された広告コンテンツに対応するプッシュメッセージにリンクされた特定のアプリケーションの実行命令が自動実行されるように提供して、ユーザー便宜性を改善して、広告対象におけるユーザーの関心を集中させて、特定のアプリケーションの利用率を大きく高めることができる。
【００９０】
一方、前記広告サービスサーバー２００は、相異なる広告メッセージ各々に対応して相異なるコンテンツフォーマットが予め設定されることができて、これを通じて相異なる広告メッセージ各々に対応して最適のコンテンツフォーマットを採用した最適の広告コンテンツを生成して、ユーザー装置１０に提供することができる。
【００９１】
一例として、前記広告サービスサーバー２００は、前記広告主サーバー２０から広告メッセージと複数のコンテンツフォーマットのうち、広告主によって選択されたコンテンツフォーマットにおける選択情報を受信して、前記広告メッセージと前記選択情報によって選択されたコンテンツフォーマットをマッチングして、前記コンテンツＤＢ２０２に保存することができる。
【００９２】
これを通じて、前記コンテンツＤＢ２０２には、相異なる広告対象の広告メッセージ各々に対応して広告コンテンツを生成するための相異なるコンテンツフォーマットが保存されることができる。
【００９３】
これによって、前記広告サービスサーバー２００は、ユーザー装置１０の広告モジュール１００から第１アプリケーションに対応する広告メッセージに関するリンク情報、または、パッケージＩＤにおける応答情報が受信される場合、前記コンテンツＤＢ２０２から前記応答情報を含む広告メッセージに対応して、保存されたＡコンテンツフォーマットを抽出して、前記応答情報に対応して、収集した広告用情報を前記Ａコンテンツフォーマットに採用して、第１広告コンテンツを生成したあと、これを前記ユーザー装置１０の広告モジュール１００に転送することによって、前記ユーザー装置１０のロック画面に前記第１広告コンテンツが表示されるようにすることができる。
【００９４】
また、前記広告サービスサーバー２００は、第１アプリケーションと相異なる第２アプリケーションに対応する広告メッセージに関する応答情報が受信される場合、前記コンテンツＤＢ２０２から前記応答情報を含む広告メッセージに対応して、保存されたＢコンテンツフォーマットを抽出して、前記応答情報に対応して、収集した広告用情報を前記Bコンテンツフォーマットに採用して、前記第１広告コンテンツのコンテンツフォーマットと相異なるコンテンツフォーマットを有する第２広告コンテンツを生成したあと、これを前記ユーザー装置１０の広告モジュール１００に転送して、前記ユーザー装置１０のロック画面に表示されるようにすることができる。
【００９５】
前述の構成を通じて、前記広告サービスサーバー２００は、相異なるアプリケーション別に広告効率を高めることができる最適のコンテンツフォーマットを設定して保存して、前記最適のフォーマットによる広告コンテンツを生成して、ユーザー装置１０のロック画面に表示されるようにすることによって、広告効率をさらに高めることができる。
【００９６】
図６は、本発明の実施例による広告モジュール１００の詳細構成図であって、図示のように、前記広告モジュール１００は、有効化部１１０と、メッセージ管理部１２０と、広告生成部１３０と、ロック画面連動部１４０及び制御部１５０とを含むことができる。
【００９７】
前記有効化部１１０は、前記ユーザー装置１０に構成されたユーザーインターフェース部１１を介するユーザー入力を受信して、前記広告モジュール１００の有効化、または、無効化における選択情報が入力されることができて、前記選択情報を前記制御部１５０に提供することができる。
【００９８】
前記制御部１５０は、前記選択情報によって有効化された場合、前記広告モジュール１００に構成された各構成部を有効化して、前記制御部１５０は、前記ユーザー装置１０に構成された通信部１２を介して受信したプッシュメッセージを前記メッセージ管理部１２０に提供することができる。
【００９９】
この時、前記制御部１５０は、前記プッシュメッセージを前記ユーザー装置１０に構成されたメモリー部１４に保存することができる。
【０１００】
これによって、前記メッセージ管理部１２０は、前記プッシュメッセージからのリンク情報及びパッケージＩＤのうち、少なくとも一つを抽出して、前記リンク情報及びパッケージＩＤのうち、少なくとも一つを含む応答情報を生成したあと、前記制御部１５０に提供することができる。
【０１０１】
また、前記制御部１５０は、前記応答情報を前記ユーザー装置１０の通信部１２を介して前記広告サービスサーバー２００に転送することができる。
【０１０２】
一方、前記制御部１５０は、前記ユーザー装置１０の通信部１２を介して前記広告サービスサーバー２００から転送された広告コンテンツを受信して、前記広告コンテンツに対応するプッシュメッセージといっしょに広告生成部１３０に提供することができる。
【０１０３】
これによって、前記広告生成部１３０は、前記制御部１５０から提供されたプッシュメッセージの内容情報を抽出して、前記広告コンテンツの予め設定された領域に追加することができて、前記プッシュメッセージの属性情報のうち、予め設定された属性フィールドに接続アドレスが存在する場合、前記接続アドレスによって接続して、広告対象における広告対象情報を収集したあと、前記広告コンテンツに追加することができる。
【０１０４】
また、前記広告生成部１３０は、前記プッシュメッセージに含まれた前記リンク情報を抽出して、前記広告コンテンツに追加、または、挿入することができて、該広告コンテンツを制御部１５０に提供することができる。
【０１０５】
この時、前記制御部１５０は、前記広告生成部１３０から提供された広告コンテンツを前記メモリー部１４に保存することができる。
【０１０６】
以後、前記制御部１５０は、前記広告生成部１３０から提供された広告コンテンツを前記ロック画面連動部１４０に提供して、前記ロック画面連動部１４０は、ユーザー装置１０のロック状態を感知して、ロック状態によるロック画面に前記広告コンテンツを前記ユーザー装置１０に構成された出力部１３を介して出力することができる。
【０１０７】
前述の構成から、前記制御部１５０は、前記ユーザー装置１０に他のプッシュメッセージが受信される場合、前述の構成を介して前記広告サービスサーバー２００から前記他のプッシュメッセージに対応して、受信した異なる広告コンテンツがロック画面に既存の広告コンテンツに替わって表示されるようにすることができる。
【０１０８】
また、前記制御部１５０は、前記メモリー部１４に保存された相異なる複数の広告コンテンツを予め設定された周期ごとに前記ロック画面に順番をかえて表示することもできる。
【０１０９】
これを通じて、前記広告モジュール１００は、新しいプッシュメッセージが受信されるごとにロック画面に表示される広告コンテンツを毎回変更することができて、様々な広告コンテンツをユーザー装置１０のロック画面を介して提供することができる。
【０１１０】
一方、前記制御部１５０は、前記ロック画面に前記プッシュメッセージのリンク情報による実行命令を実行させるか、ロック画面を解除するためのインターフェースを表示することができて、ユーザーインターフェース部１１を介するユーザー入力によって予め設定された方向に前記ロック画面によるロック状態を解除する場合、前記広告コンテンツに含まれたリンク情報によって前記広告コンテンツに対応するアプリケーションを実行させて、前記アプリケーションによって前記リンク情報に定義された実行命令が実行されるようにすることができる。
【０１１１】
一方、図７は、本発明の実施例による広告サービスサーバー２００の詳細構成図であって、図示のように、広告用情報収集部２１０及び広告提供部２２０を含むことができる。
【０１１２】
前記広告用情報収集部２１０は、前記プッシュメッセージに対応して、ユーザー装置１０から受信した応答情報によって前記外部サーバー３００に保存された前記特定のアプリケーションに対応するアプリケーション情報に接続して、前記アプリケーション情報からユーザー装置１０のロック画面に対応して、予め設定されたコンテンツフォーマットと連関された広告用情報を収集して、前記広告提供部２２０に提供することができる。
【０１１３】
この時、前記広告用情報収集部２１０は、前記広告用情報をコンテンツＤＢ２０２に保存することができる。
【０１１４】
一方、前記広告提供部２２０は、前記広告用情報収集部２１０から提供される広告用情報を予め設定されたコンテンツフォーマットに採用して、ユーザー装置１０のロック画面に表示される広告コンテンツを生成して、これを前記ユーザー装置１０に転送することができる。
【０１１５】
前述の構成を通じて、本発明は、アプリケーションを広告するための広告主にユーザー装置に転送するための別途の広告コンテンツの製作を要求する必要なく、広告主から提供されるメッセージと広告主に対応してサーバーに保存されたアプリケーション情報に基づいて、独自の広告主のアプリケーションに関する広告コンテンツを自動生成して、ユーザー装置のロック画面に表示されるようにすることができて、広告製作における広告主の負担を軽減させるとともに、広告便宜性を大きく高めることができる。
【０１１６】
図８は、本発明の実施例によるメッセージに基づくアプリケーションに連動するロック画面の広告提供方法における順序図である。
【０１１７】
図示のように、ユーザー装置１０に構成された広告モジュール１００は、広告主サーバー２０からアプリケーションに関するプッシュメッセージを受信し（Ｓ１）、前記プッシュメッセージからのリンク情報及びアプリケーションに関するパッケージＩＤのうち、少なくとも一つを抽出して、応答情報を生成して（Ｓ２）、ネットワークを介して前記広告サービスサーバー２００に前記応答情報を転送することができる（Ｓ３）。
【０１１８】
次に、前記広告サービスサーバー２００は、前記応答情報によって前記アプリケーションを提供する外部サーバー３００に接続して、前記応答情報に含まれたリンク情報、または、パッケージＩＤに対応するアプリケーション情報から前記ユーザー装置１０のロック状態によるロック画面に対応して、予め設定されたコンテンツフォーマットと連関された広告用情報を収集することができる（Ｓ４）。
【０１１９】
以後、前記広告サービスサーバー２００は、前記広告用情報を前記コンテンツフォーマットに採用して、広告コンテンツを生成して（Ｓ５）、前記広告コンテンツを前記ユーザー装置１０の広告モジュール１００に転送することができる（Ｓ６）。
【０１２０】
次に、前記広告モジュール１００は、前記広告サービスサーバー２００から前記ユーザー装置１０を介して受信した前記広告コンテンツに前記プッシュメッセージのリンク情報を追加して（Ｓ７）、前記ユーザー装置１０のロック画面に表示することができる（Ｓ８）。
【０１２１】
以後、前記広告モジュール１００は、前記ユーザー装置１０を介するユーザー入力によって予め設定された方向にロックを解除する時、前記リンク情報によって前記アプリケーションを実行させ、前記リンク情報による実行命令が前記アプリケーションを介して実行されるようにすることができる（Ｓ９）。
【０１２２】
本明細書に記述の様々な装置及び構成部は、ハードウェア回路（例えば、ＣＭＯＳに基づく論理回路）、ファームウェア、ソフトウェアー、または、これらの組み合わせによって具現することができる。例えば、様々な電気的構造の形でトランジスター、論理ゲート及び電子回路を活用して具現することができる。
【０１２３】
また、ユーザー装置の各々の構成部（または、モジュール）は、前記ユーザー装置のメモリー上に保存されるソフトウェアーであることがある。メモリーは、ユーザー装置の内部メモリーであることがあり、外付けメモリー、または、他の形の保存装置であることがある。また、メモリーは、不揮発性メモリーであることがある。メモリー上に保存されるソフトウェアーは、実行する時、ユーザー装置をして特定の動作を行うようにする命令セットを含むことができる。
【０１２４】
前述の内容は、本発明が属する技術分野で通常の知識を有する者であるならば、本発明の本質的な特性から外れない範囲で修正および変形が可能なはずである。従って、本発明に開示された実施例らは、本発明の技術事象を限定するためのものではなく、説明するためのものであり、このような実施例によって本発明の技術事象の範囲が限定されることはない。本発明の保護範囲は、次の特許請求の範囲によって解釈されるべきであって、それと同等な範囲内にある全ての技術事象は、本発明の権利範囲に含まれると解釈されるべきである。
【符号の説明】
【０１２５】
１０    ユーザー装置
１１    ユーザーインターフェース部
１２    通信部
１３    出力部
１４    メモリー部
２０    広告主サーバー
１００    広告モジュール
１１０    有効化部
１２０    メッセージ管理部
１３０    広告生成部
１４０    ロック画面連動部
１５０    制御部
２００    広告サービスサーバー
２０１    会員ＤＢ
２０２    コンテンツＤＢ
２１０    広告用情報収集部
２２０    広告提供部
３００    外部サーバー
４００    プッシュサーバー
【図１】
2019517054.tif 000003
【図２】
2019517054.tif 000004
【図３】
2019517054.tif 000005
【図４】
2019517054.tif 000006
【図５】
2019517054.tif 000007
【図６】
2019517054.tif 000008
【図７】
2019517054.tif 000009
【図８】
2019517054.tif 000010
【国際調査報告】
2019517054.tif 000011
2019517054.tif 000012
2019517054.tif 000013
2019517054.tif 000014